(57)【要約】【課題】長い柄を備えた清掃具を壁に立て掛けた時、倒れ難くする。【解決手段】本発明の清掃具１は、被清掃部位Ｗに作用して被清掃部位Ｗに付着した汚れを除去する清掃作用部３と、清掃作用部３から延びる柄９と、を具備し、上記柄９には、清掃作業時に手で握って操作する操作部７が設けられており、該操作部７には、当該柄９を壁Ｋに立て掛けた時に壁Ｋと接する部位に滑り止め部１２１が設けられている。【選択図】  図１６
2016116803.tif 000002
【特許請求の範囲】
【請求項１】
被清掃部位に作用して被清掃部位に付着した汚れを除去する清掃作用部と、
上記清掃作用部から延びる柄と、を具備し、
上記柄には、清掃作業時に手で握って操作する操作部が設けられており、該操作部には、上記柄を壁に立て掛けた時に壁と接する部位に滑り止め部が設けられていることを特徴とする清掃具。
【請求項２】
上記滑り止め部は、操作部の外形から突出する球面状の滑り止め作用面を備えた滑り止め突起であることを特徴とする請求項１記載の清掃具。
【請求項３】
上記滑り止め突起は、操作部の外形の周囲の複数個所に設けられていることを特徴とする請求項２記載の清掃具。
【請求項４】
上記滑り止め部は、操作部に嵌めて使用する円環状の滑り止め作用面を備えた滑り止めリングであることを特徴とする請求項１記載の清掃具。
【請求項５】
上記滑り止め部は、操作部と別体に構成されており、操作部の組立て時に組み付けられ、あるいは操作部の組立て後に取り付けることによって設けられていることを特徴とする請求項１〜４のいずれかに記載の清掃具。
【請求項６】
上記滑り止め部は、操作部と一体に構成されており、操作部の成形時に二色成形によって滑り止め部を同時に成形するように構成されていることを特徴とする請求項１〜４のいずれかに記載の清掃具。
【請求項７】
上記滑り止め部は、摩擦係数の大きな軟質の合成樹脂材料や合成ゴムによって形成されていることを特徴とする請求項１〜６のいずれかに記載の清掃具。
【発明の詳細な説明】
【技術分野】
【０００１】
本発明は、清掃中に清掃を一時中断して部屋の壁に立て掛けたり、収納時に収納庫の壁面に立て掛けて収納するのに便利な長い柄を備えた清掃具に関する。
【背景技術】
【０００２】
窓や床等の被清掃部位を摺接して被清掃部位に付着した汚れを除去する場合、下記の特許文献１に示すような柄の長い清掃具が広く使用されている。
特許文献１に開示されている清掃具は、噴水機能を備えたモップ構造の清掃具であり、３本の管を直線的に連結することによって構成される長尺な柄と、柄の下端部に取り付けられるモップ部と、柄の下端部寄りに設けられる接続カバーに対して設置される専用の水入れ容器、水入れ容器から延びる出水軟管、出水軟管の先端部に取り付けられるノズル及び洗浄液の供給と停止を切り替える操作ハンドルを備える洗浄液供給部と、を具備している。
【先行技術文献】
【特許文献】
【０００３】
【特許文献１】実用新案登録第３０９４８５８号公報
【発明の概要】
【発明が解決しようとする課題】
【０００４】
このように柄の長い清掃具を使用する場合、清掃中、清掃を一時中断して当該清掃具を部屋の壁に立て掛ける場合がある。そして、当該清掃具の柄の部分には、清掃作業時に大きな力が掛かるため、一般に機械的強度に優れるアルミパイプや硬質プラスチック製の材料が使用されている。
しかし、これらの材料は摩擦係数が比較的小さな材料であるため滑り易く、重量バランス等を見て慎重に壁に立て掛けないと滑って倒れてしまう。このような現象は、柄の長い清掃具を収納庫の壁面に立て掛けて収納する場合にも生じる。
【０００５】
また、清掃具の一部には、柄の先端にグリップを備えた清掃具が存在し、該グリップの材料として摩擦係数が比較的大きな合成ゴム等を使用した清掃具も使用されている。しかし、グリップ全体を柄と別の材料によって構成すると製品コストの増大を招いてしまう。
また、清掃具の一部には、操作性を考えて上記の特許文献１にも採用されているようなガンタイプの操作ハンドルを備えた清掃具も存在している。しかし、このような操作ハンドルは形状が特異であるため、壁に立て掛けるのが難しい。
【０００６】
本発明はこのような点に基づいてなされたもので、その目的とするところは、長い柄を備えた清掃具において、清掃中あるいは収納時に壁に立て掛けた時、重量バランス等に特に気を遣わなくても倒れ難い、安価で使い勝手の良い清掃具を提供することにある。
【課題を解決するための手段】
【０００７】
上記目的を達成するべく本発明の請求項１による清掃具は、被清掃部位に作用して被清掃部位に付着した汚れを除去する清掃作用部と、上記清掃作用部から延びる柄と、を具備し、上記柄には、清掃作業時に手で握って操作する操作部が設けられており、該操作部には、上記柄を壁に立て掛けた時に壁と接する部位に滑り止め部が設けられていることを特徴とするものである。
【０００８】
また、請求項２による清掃具は、請求項１記載の清掃具において、上記滑り止め部は、操作部の外形から突出する球面状の滑り止め作用面を備えた滑り止め突起であることを特徴とするものである。
【０００９】
また、請求項３による清掃具は、請求項２記載の清掃具において、上記滑り止め突起は、操作部の外形の周囲の複数個所に設けられていることを特徴とするものである。
【００１０】
また、請求項４による清掃具は、請求項１記載の清掃具において、上記滑り止め部は、操作部に嵌めて使用する円環状の滑り止め作用面を備えた滑り止めリングであることを特徴とするものである。
【００１１】
また、請求項５による清掃具は、請求項１〜４のいずれかに記載の清掃具において、上記滑り止め部は、操作部と別体に構成されており、操作部の組立て時に組み付けられ、あるいは操作部の組立て後に取り付けることによって設けられていることを特徴とするものである。
【００１２】
また、請求項６による清掃具は、請求項１〜４のいずれかに記載の清掃具において、上記滑り止め部は、操作部と一体に構成されており、操作部の成形時に二色成形によって滑り止め部を同時に成形するように構成されていることを特徴とするものである。
【００１３】
また、請求項７による清掃具は、請求項１〜６のいずれかに記載の清掃具において、上記滑り止め部は、摩擦係数の大きな軟質の合成樹脂材料や合成ゴムによって形成されていることを特徴とするものである。
【発明の効果】
【００１４】
そして、上記手段によって以下のような効果が得られる。即ち、本発明の清掃具によると、柄を壁に立て掛けた時に壁と接する操作部の部位に対して、滑り止め部が設けられているから、作業者は、清掃中あるいは収納時に柄を壁に立て掛ける時、重量バランス等に特に気を遣わなくても当該清掃具は倒れ難くなる。また、操作部に取り付ける一部品または一部分として滑り止め部を使用しているため製品コストを低く抑えることができる。
【００１５】
また、上記滑り止め部を、操作部の外形から突出する球面状の滑り止め作用面を備えた滑り止め突起によって構成した場合には、ガンタイプ等の特異な形状の操作部に対して適用できるようになる。また、柄を立て掛ける時の立て掛け角度を変えても球面状の滑り止め作用面のいずれかの部位が壁と接するため、作業者は、柄を壁に立て掛ける時の柄の立て掛け角度について特に気を遣わなくてもよい。
また、上記滑り止め突起を操作部の外形の周囲の複数個所に設けた場合には、作業者は、柄を壁に立て掛ける時の柄の向きについても特に気を遣わなくてもよい。
【００１６】
また、上記滑り止め部を、操作部に嵌めて使用する円環状の滑り止め作用面を備えた滑り止めリングによって構成した場合には、直棒状等のシンプルな形状の操作部に対しても適用できるようになる、また、滑り止め作用面が円環状であるから作業者は、柄を壁に立て掛ける時の柄の向きについて特に気を遣う必要がなくなる。
また、上記滑り止め部を操作部と別体に構成し、操作部の組立て時に組み付けたり、操作部の組立て後に取り付けるようにした場合には、滑り止め部と操作部とを別々に製造することが可能になるから、滑り止め部を予め余分に製造しておいて部品交換用の滑り止め部として利用することが可能になる。
【００１７】
また、上記滑り止め部を二色成形によって操作部と一体に成形した場合には、滑り止め部を操作部と同時に成形できるから清掃具の生産性が向上する。
また、滑り止め部を摩擦係数の大きな軟質の合成樹脂材料や合成ゴムによって形成した場合には、清掃具を壁に立て掛けた時に、柄の重量が滑り止め部に作用し、大きな摩擦力が発生するので清掃具は一層倒れ難くなる。
【図面の簡単な説明】
【００１８】
【図１】本発明の実施の形態を示す図で、清掃具の使用状態を示す斜視図である。
【図２】本発明の実施の形態を示す図で、清掃具を分解した状態の斜視図である。
【図３】本発明の実施の形態を示す図で、図２中のＡ部を拡大して示す斜視図である。
【図４】本発明の実施の形態を示す図で、図２中のＢ部を拡大して示す斜視図である。
【図５】本発明の実施の形態を示す図で、図２中のＣ部を拡大して示す斜視図である。
【図６】本発明の実施の形態を示す図で、清掃具を示す側面図である。
【図７】本発明の実施の形態を示す図で、清掃具を示す平面図である。
【図８】本発明の実施の形態を示す図で、図６中のＤ−Ｄ断面図である。
【図９】本発明の実施の形態を示す図で、図７中のＥ−Ｅ断面図である。
【図１０】本発明の実施の形態を示す図で、図７中のＦ−Ｆ断面図である。
【図１１】本発明の実施の形態を示す図で、図９中のＧ部を拡大して示す側断面図である。
【図１２】本発明の実施の形態を示す図で、ポンプ部に設けられる逆止弁を示す正面図（ａ）と（ａ）図中のＩ−Ｉ断面図（ｂ）である。
【図１３】本発明の実施の形態を示す図で、図７中のＬ部を拡大して示す平面図（ａ）と図６中のＭ部を拡大して示す側面図（ｂ）である。
【図１４】本発明の実施の形態を示す図で、清掃具の操作部を示す斜め前方からの斜視図（ａ）と斜め後方からの斜視図（ｂ）である。
【図１５】本発明の実施の形態を示す図で、滑り止め部を示す側断面図（ａ）と（ａ）図中のＪ−Ｊ断面図（ｂ）である。
【図１６】本発明の実施の形態を示す図で、清掃具を壁に立て掛ける場合の２態様を示す側面図である。
【図１７】本発明の実施の形態を示す図で、清掃具を壁に立て掛ける場合の立て掛け角度を示す側面図である。
【図１８】本発明の他の実施の形態を示す図で、清掃具を示す斜視図（ａ）と滑り止め部を拡大して示す斜視図（ｂ）である。
【図１９】本発明の他の実施の形態を示す図で、交換可能な複数の清掃作用部の一例を示す説明図である。
【発明を実施するための形態】
【００１９】
以下、図１〜図１７に示す実施の形態を例にとって、本発明の清掃具の構成と使用態様について具体的に説明する。
本発明の清掃具１は、被清掃部位Ｗに作用して被清掃部位Ｗに付着した汚れを除去する清掃作用部３と、上記清掃作用部３から延びる柄９と、を具備し、上記柄９には、清掃作業時に手で握って操作する操作部７が設けられており、該操作部７には、当該柄９を壁Ｋに立て掛けた時に壁Ｋと接する部位に滑り止め部１２１が設けられることによって基本的に構成されている。
【００２０】
そして、本実施の形態では、被清掃部位Ｗに洗浄液Ｓを供給し、該洗浄液Ｓを被清掃部位Ｗに滴下ないし噴霧するペットボトルＰを洗浄液収容容器として利用した洗浄液供給部５を備え、清掃作用部３として図示のような拭取り部３（清掃作用部３と同一の符号を使用する）を装着した構成の清掃具１を図示している。
また、上記洗浄液供給部５には、上記拭取り部３が取り付けられる柄９の一端寄りに、ペットボトルＰを装着するボトル装着部１７と、洗浄液Ｓの吐出の開始と停止の切り替え及び洗浄液Ｓの吐出量を加減するポンプ部１９と、が備えられている。
【００２１】
また、上記操作部７として、一例としてガンタイプの操作グリップ７Ａが設けられており、該操作グリップ７Ａ自体またはその近傍位置に上記ポンプ部１９の動作を操作する操作片２１が配置されている。更に、上記操作片２１とポンプ部１９の間に、操作片２１の動きをポンプ部１９に伝達する操作ロッド２３が配置されている。
また、本実施の形態では、一例として床拭き用の拭取り部３を取り付けた清掃具１が図示されており、該拭取り部３は、一例として硬質プラスチック製で矩形平板形状の拭取り基板２９と、該拭取り基板２９の下面に貼設される一例として発泡ウレタン製の拭取り面板３１と、上記拭取り基板２９の上面中央に設けられる接続構造３３と、同じく拭取り基板２９の上面の上記接続構造３３の左右に設けられる、不織布等のシート状の拭取り体Ｕ１を装着するための押込み係止片３５と、雑布等の厚手の拭取り体Ｕ２を装着するための挟持係止片３７と、の２種類の係止片と、が設けられている。
【００２２】
このうち、押込み係止片３５は、図７及び図１３（ａ）に示すようなジグザグ状のスリット３５ａを有し、該スリット３５ａの周囲の舌片状の部分が弾性変形して係止作用を行う。
一方、挟持係止片３７は、図３及び図１０に示すように挟持部に一例として鋸歯状の歯が形成された固定係止片３７ａと、所定角度の範囲で回動し、同じく鋸歯状の歯を有する可動係止片３７ｂとを組み合わせることによって構成されており、図示しない付勢バネの付勢力を受けて２つの係止片３７ａ、３７ｂが常時挟持状態になるように構成されている。
そして、上記押込み係止片３５と挟持係止片３７は、一例としてそれぞれ４組ずつ配置されている。
【００２３】
洗浄液供給部５は、柄９の先端部に対して取り付けられるポンプハウジング３９を備えており、該ポンプハウジング３９に対して、上述したボトル装着部１７とポンプ部１９が配置されている。
ボトル装着部１７は、ペットボトルＰの注ぎ口の首部を収容する凹部４１を備えており、該凹部４１の側周面には、上記首部の外周面に刻設されている雄ネジ部と螺合する雌ネジ部４３が刻設されている。また、上記凹部４１の底部にはペットボトルＰ内の洗浄液Ｓをポンプ部１９に供給するための供給口４５と、洗浄液Ｓを供給中のペットボトルＰ内の圧力低下を防止するための逆止弁４７が設けられている。
【００２４】
このうち、供給口４５には、後述するシリンダ４９に向けて連絡チューブ５５が接続されると共に、ペットボトルＰに向けて吸液チューブ５６が接続されている。そして、当該吸液チューブ５６の先端の吸液口には、錘止め５６ｂによって支持された一例としてステンレス鋼製の錘５６ａが取り付けられており、当該錘５６ａの自重によって清掃具１を下向きで使用すると、上向きで使用するとに拘わらず、当該錘５６ａが下方に移動するため、上記吸液口は常時、ペットボトルＰ内の洗浄液Ｓ中に浸った状態で位置するように構成されている。
一方、上記逆止弁４７は、一例としてシリコーン製で、図１２（ａ）（ｂ）に示すような形状を有しており、その頂部付近にスリット４７ａが形成されている。
そして、上記逆止弁４７は、ポンプ部１９を作動させる操作片２１の操作時に閉状態になってペットボトルＰ内の洗浄液Ｓの外部への流出を防止し、上記操作片２１から指を離した時に負圧になって開状態になることで外部の空気をペットボトルＰ内に取り込んでペットボトルＰ内の圧力低下を防止する作用を有している。
【００２５】
尚、ペットボトルＰとしては、種々のボトルが使用できるが、飲料水等を収容している市販のペットボトルＰが一例として使用でき、該ペットボトルＰ内に収容する洗浄液Ｓとしては、単なる水でもよいし液体状ないしフォーム状の洗剤であってもよい。また、汚れを落とすのに一般に使用されている種々の薬品等を水や油に希釈させたものを洗浄液Ｓとして使用することも可能である。
ポンプ部１９は、シリンダ４９と、該シリンダ４９に内嵌されるピストン５１と、上記シリンダ４９の端面とピストン５１との間に縮設されている付勢バネ５３と、を備えており、上記シリンダ４９の端面寄りの側周面には、上記ボトル装着部１７から延びる連絡チューブ５５が逆止弁５４を介して接続されている。
【００２６】
また、上記シリンダ４９の端面にはノズル５７が斜め上方に向かって接続されている。また、上記ピストン５１の後方には押込みロッド５９が接続されており、該押込みロッド５９には上述した操作ロッド２３の先端部が固定ピン７９で取り付けられている。
また、ポンプハウジング３９の先端部には、舌片状の弾性片の先端部に係合凸部６１ａを備えた取付け軸６１が取り付けられている。そして、上記取付け軸６１には、上記係合凸部６１ａに係合する係合穴部６３ａを有する連結ロッド６３が接続されている。
また、上記連結ロッド６３の先端部には上述した拭取り基板２９の上面に設けられる接続構造３３に接続されていわゆるユニバーサルジョイントとして機能する接続構造６５が設けられている。
【００２７】
操作グリップ７Ａとしては、図示のような手の形状に馴染んだ握り易い形状のグリップが一例として適用でき、操作グリップ７Ａのグリップ径や長さも長時間の清掃作業をしても疲れ難いグリップ径と長さに設定する。尚、操作グリップ７Ａの材料としては、一例としてポリプロピレン（ＰＰ）やＡＢＳ樹脂等の硬質プラスチック材料が適用できる。
また、上記操作グリップ７Ａと拭取り部３とを連結する柄９は、軸方向Ｙに長い長尺なパイプ材が一例として適用できる。そして柄９の材料としては、上記操作グリップ７Ａと同じ硬質プラスチック材料やアルミニウム等の金属製材料が一例として適用可能である。
【００２８】
また、上記柄９の先端には、上述した押込みロッド５９が内嵌されており、上述したポンプハウジング３９の一方のハウジング要素４０Ａの側方から挿入される固定ネジ７７が柄９と押込みロッド５９を貫いて、ポンプハウジング３９の他方のハウジング要素４０Ｂに螺合することによってポンプハウジング３９が取り付けられている。
尚、上記押込みロッド５９には、軸方向Ｙに延びる長穴６０が形成されており、上記固定ネジ７７はこの長穴６０を貫通するように設けられているため、当該押込みロッド５９は、上記長穴６０の長さの範囲内で所定ストローク、軸方向Ｙに移動できるように構成されている。
【００２９】
また、上記押込みロッド５９には、軸方向Ｙに長い操作ロッド２３の先端部が固定ピン７９によって固定状態で取り付けられており、押込みロッド５９と操作ロッド２３は軸方向Ｙに一体で移動し得るように構成されている。
また、上記操作グリップ７Ａが取り付けられる柄９の基端部の内部には、上述した操作ロッド２３の基端部が位置しており、操作ロッド２３の基端部に設けられている板状の取り付け片２８を利用して、操作片２１の回動運動を軸方向Ｙの直線運動に変換して移動するレバーロッド９１に対して固定ピン７９によって固定状態で取り付けられている。これに伴い、当該レバーロッド９１と、操作ロッド２３と、押込みロッド５９は、軸方向Ｙに一体で移動し得るように構成されている。
【００３０】
次に、本発明の特徴的構成である滑り止め部１２１について説明する。本実施の形態では滑り止め部１２１として操作部７の外形から突出する球面状の滑り止め作用面１２３ａを備えた滑り止め突起１２１Ａが採用されており、図１４（ａ）（ｂ）に示すように操作グリップ７Ａの屈曲部の外側の頂部と、操作グリップ７Ａの基端面との２ヶ所に１つずつ計２個の滑り止め突起１２１Ａが配置されている。
滑り止め突起１２１Ａの形状は、図１５（ａ）（ｂ）に示すように上記滑り止め作用面１２３ａを有し、茸の傘のような形状をした頭部１２３と、該頭部１２３の基端面から延びる頭部１２３よりも径の小さな首部１２４と、該首部１２４の基端面に対して設けられる該首部１２４よりも径の大きな係止部１２５と、を備えることによって一例として構成されている。
【００３１】
一方、操作グリップ７Ａには、上記首部１２４が嵌まる取付け穴８が形成されており、操作グリップ７Ａを構成している２つのグリップ要素７０Ａ、７０Ｂを組み合わせる時、上記滑り止め突起１２１Ａの首部１２４を２分割された取付け穴８に嵌めることによって滑り止め突起１２１Ａは操作グリップ７Ａの上述した所定部位に取り付けられる。
そして、このようにして構成される滑り止め部１２１を形成する材料としては、摩擦係数の大きな軟質の合成樹脂材料や合成ゴム等が適用でき、軟質の合成樹脂材料としては、ＥＶＡ樹脂や熱可塑性エラストマー（ＴＰＥ）あるいはシリコーンゴム等が適用可能である。
【００３２】
次に、このようにして構成される本発明の清掃具１の使用態様を各部の作動態様と併せて説明する。以下、（１）拭取り部のセット時、（２）清掃作業時、（３）清掃作業の中断時、（４）収納時の４段階に分けて説明する。
（１）拭取り部のセット時
ポンプハウジング３９の取付け軸６１に接続構造３３、６５を介して拭取り部３が取り付けられている連結ロッド６３が装着されていない場合には、拭取り部３が取り付けられている連結ロッド６３を取付け軸６１に挿し込んで拭取り部３を清掃具１にセットする。尚、連結ロッド６３を取付け軸６１に挿し込むと取付け軸６１の係合凸部６１ａが、これを支持する弾性片の作用で自動的に連結ロッド６３の係合穴部６３ａに嵌って係合状態になる。
次に、拭取り体Ｕを拭取り面板３１に宛がい、拭取り基板２９を包むように、その対向する両端を拭取り基板２９の上面に回して、押込み係止片３５のスリット３５ａに上方から押し込んで固定するか、挟持係止片３７を構成する固定係止片３７ａと可動係止片３７ｂの間に挟んで固定する。
【００３３】
（２）清掃作業時
清掃作業を行うに当たり、洗浄液Ｓを使用したい場合には、ペットボトルＰに洗浄液Ｓを入れ、洗浄液Ｓの入ったペットボトルＰをポンプハウジング３９のボトル装着部１７に取り付ける。そして、操作グリップ７Ａの近傍に位置する操作片２１に指を掛け、当該操作片２１を操作グリップ７Ａ側に引くことによって操作片２１を回動支点２１ａを中心に回動させる。
上記操作片２１の回動に伴い、レバーロッド９１が軸方向Ｙに沿ってポンプ１９側に直線的に所定ストローク移動する。そして、当該レバーロッド９１の移動によって、該レバーロッド９１に基端部が取り付けられている操作ロッド２３が移動し、更に操作ロッド２３の先端部に取り付けられている押込みロッド５９に力が伝達される。
【００３４】
そして、上記押込みロッド５９に伝達された力によって、該押込みロッド５９の先端に当接しているピストン５１を、付勢バネ５３の付勢力に抗して付勢バネ５３を圧縮する方向に押し込む。この時、シリンダ４９と連絡チューブ５５との接続部に配置されている逆止弁５４が閉じ、シリンダ４９内の洗浄液Ｓがシリンダ４９内の流路を通ってノズル５７に至り、該ノズル５７先端のノズル口から被洗浄部位Ｗである床面等に向かって洗浄液Ｓが滴下ないし噴霧される。
一方、操作片２１から指を離すことによって、操作片２１は付勢バネ５３の付勢力で元の状態に自動的に復帰する。この時、シリンダ４９と連絡チューブ５５との接続部に配置されている逆止弁５４が開いて、給液チューブ５６内にペットボトルＰ内の洗浄液Ｓが取り込まれ、次の洗浄液Ｓの滴下ないし噴霧に備える。
そして、作業者は、操作グリップ７Ａを片手で握って、前後左右に拭取り部３を動かし、上記洗浄液Ｓの滴下ないし噴霧操作を適宜行いながら被清掃部位Ｗとなる床面等の汚れを拭き取って行く。
【００３５】
（３）清掃作業の中断時
清掃作業中に一時作業を中断する場合には、図１６（ａ）（ｂ）に示すように清掃具１を壁Ｋに立て掛けて作業を中断する。本発明では、操作部７に対して滑り止め部１２１が設けられているため、図１６（ａ）あるいは図１６（ｂ）に示す姿勢で清掃具１を立て掛けた時、滑り止め部１２１が壁Ｋに接触して滑り止め部１２１の有する大きな摩擦力が発揮されるため清掃具１が倒れてしまうことがない。
また、清掃具１を壁Ｋに立て掛けた時、清掃具１が倒れない立て掛け角度θの範囲は広く、図１７に示すような種々の立て掛け角度θで本発明の清掃具１を壁Ｋに立て掛けることが可能である。従って、作業者は当該清掃具１を壁Ｋに立て掛ける時、清掃具１の姿勢や清掃具１の重量バランス等に気を遣うことなく立て掛けることができ、このように無造作に立て掛けても清掃具１は倒れることなく、その立て掛けられた姿勢をそのまま維持することが可能になっている。
【００３６】
（４）収納時
清掃作業が終了し清掃具１を収納庫等に収納する場合には、しばらく使う予定がなければポンプハウジング３９のボトル装着部１７に装着していたペットボトルＰを取り外す。また、必要に応じて係合凸部６１ａを押して取付け軸６１に取り付けられていた連結ロッド６３を抜いて拭取り部３をポンプハウジング３９から取り外す。
また、柄９の長い清掃具１を横にして収納庫に収納するのは邪魔であるから収納庫の壁Ｋに立て掛けて収納することも可能である。そして、その場合には上述した（３）の清掃作業の中断時で述べた滑り止め部１２１の作用によって清掃具１の倒れが防止される。
【００３７】
そして、このようにして構成される本発明の清掃具１によれば、清掃作業時には、洗浄液Ｓと拭取り部３を使用した良好な清掃作業が実行され、清掃作業の中断時や収納時には、上述した滑り止め部１２１の滑り止め作用が発揮されて清掃具１の倒れが防止される。
また、清掃具１を壁Ｋに立て掛ける際に清掃具１の重量バランスや立て掛け角度θに特に気を遣う必要がないから作業時と作業中断時とを通じて使い勝手の良い清掃具１を提供することが可能になる。
【００３８】
尚、本発明の清掃具１は、上述した実施の形態のものに限定されず、その発明の要旨内での変更が可能である。
例えば、滑り止め部１２１を、図１８に示すように操作部７に嵌めて使用する円環状の滑り止め作用面１２３ａを備えた滑り止めリング１２１Ｂによって構成することが可能である。このような滑り止めリング１２１Ｂは、直棒状等のシンプルな形状の操作部７Ｂに対して適用でき、組立て後の操作部７Ｂに対して後から取り付けることが可能となる。
また、滑り止め部１２１は、操作部７の成形時に二色成形によって同時に一体成形することも可能である。
【００３９】
また、清掃作用部３としては、前述した実施の形態で述べた構成の拭取り部３に限らず、以下述べるような構成の拭取り部３を採用することも可能である。
具体的には、上述した床拭きを目的にした平板状の拭取り部３に代えてロール状の拭取り部３を使用することが可能である。また、図１９（ａ）に示すようにブラシ状の拭取り部３Ｂを使用することも可能であるし、図１９（ｂ）に示すようにモップ状の拭取り部３Ｃ、図１９（ｃ）に示すようにワイパータイプの拭取り部３Ｄ、図１９（ｄ）に示すようにスポンジタイプの拭取り部３Ｅを使用することも可能である。
このように、平板状の拭取り部３以外の拭取り部とした場合には、清掃具を壁に立て掛けた時に、より倒れ易くなる傾向があるから、本発明の滑り止め部が有効になる。
【００４０】
また、清掃作用部３には、上記拭取り部３の他、ほうきやはたき等、拭き取り以外の目的で使用するものも含まれる。また、本発明の対象となる清掃具としては、電動式のものであっても良い。
そして、これらの清掃作用部３は、被清掃部位Ｗの違いや使用目的等に応じて使い分ける他、清掃の前処理段階、本格的な清掃段階、仕上げ段階等に応じて適宜付け替えて使用することも可能である。
また、本発明の清掃具１を上向きで使用する場合には、操作部７の位置よりも高い位置にペットボトルＰが位置することになるから、操作部７のみでその重量を支えることが大変な場合には、柄９の途中にもう一方の手で支えるための補助グリップ等を設けることも可能である。
【産業上の利用可能性】
【００４１】
本発明の清掃具１は、家の内外で行う各種の清掃作業に使用される清掃具の製造、使用分野等で利用でき、特に柄の長い清掃具を清掃作業の途中で壁に立て掛けたり、壁に立て掛けた状態で収納したりする場合に利用可能性を有する。
【符号の説明】
【００４２】
１  清掃具
３  清掃作用部（拭取り部）
５  洗浄液供給部
７  操作部
８  取付け穴
９  柄
１７  ボトル装着部
１９  ポンプ部
２１  操作片
２１ａ  回動支点
２３  操作ロッド
２８  取付け片
２９  拭取り基板
３１  拭取り面板
３３  接続構造
３５  押込み係止片
３５ａ  スリット
３７  挟持係止片
３７ａ  固定係止片
３７ｂ  可動係止片
３９  ポンプハウジング
４０  ハウジング要素
４１  凹部
４３  雌ネジ部
４５  供給口
４７  逆止弁
４７ａ  スリット
４９  シリンダ
５１  ピストン
５３  付勢バネ
５４  逆止弁
５５  連絡チューブ
５６  給液チューブ
５６ａ  錘
５６ｂ  錘止め
５７  ノズル
５９  押込みロッド
６０  長穴
６１  取付け軸
６１ａ  係合凸部
６３  連結ロッド
６３ａ  係合穴部
６５  接続構造
７０  グリップ要素
７７  固定ネジ
７９  固定ピン
９１  レバーロッド
１２１  滑り止め部
１２３  頭部
１２３ａ  滑り止め作用面
１２４  首部
１２５  係止部
Ｐ  ペットボトル
Ｓ  洗浄液
Ｗ  被清掃部位
Ｕ  拭取り体
Ｙ  軸方向
Ｋ  壁
θ  立て掛け角度
【図１】
2016116803.tif 000003
【図２】
2016116803.tif 000004
【図３】
2016116803.tif 000005
【図４】
2016116803.tif 000006
【図５】
2016116803.tif 000007
【図６】
2016116803.tif 000008
【図７】
2016116803.tif 000009
【図８】
2016116803.tif 000010
【図９】
2016116803.tif 000011
【図１０】
2016116803.tif 000012
【図１１】
2016116803.tif 000013
【図１２】
2016116803.tif 000014
【図１３】
2016116803.tif 000015
【図１４】
2016116803.tif 000016
【図１５】
2016116803.tif 000017
【図１６】
2016116803.tif 000018
【図１７】
2016116803.tif 000019
【図１８】
2016116803.tif 000020
【図１９】
2016116803.tif 000021